(57)【特許請求の範囲】
【請求項１】
入力画像信号をディジタル変換し、変換された画像信号を出力する送信部と、送信部からの画像信号を入力し、この画像信号を表示すると共に、送信部以外に転送する受信部を備えた画像通信方式において、
受信部では予め各受信部に設けられたパスワードを出力するパスワード出力手段と、画像信号を表示した旨を送信元へ通知するスクリプト実行通知手段と、画像信号を転送した転送先の受信部から画像信号を表示した旨の通知を受信すると、画像信号を転送した旨を送信部へ通知するデータ転送通知手段とを備え、
送信部では予め各受信部に設けられたパスワードを記録し、受信部から送られてきたパスワードとあらかじめ記録されたパスワードとの検証を行うパスワード検証手段を備え、この検証手段の検証結果に基づいて受信部の画像信号表示処理を制御することを特徴とする画像通信方式。
【請求項２】
画像信号を送信する場合、送信元の画像伝送表示装置のアドレスを付加する送信元アドレス付加手段を送信部が備え、送信元のアドレスが付加された画像信号を受信した場合、送信元のアドレスを登録管理する送信元アドレス管理手段を受信部が備えたことを特徴とする請求項１記載の画像通信方式。
【請求項３】
入力画像信号をディジタル変換し、変換された画像信号を出力する送信部と、送信部からの画像信号を入力し、この画像信号を表示する受信部を備え、受信部では予め各受信部に設けられたパスワードを出力するパスワード出力手段を備え、送信部では予め各受信部に設けられたパスワードを記録し、受信部から送られてきたパスワードとあらかじめ記録されたパスワードとの検証を行うパスワード検証手段を備え、この検証手段の検証結果に基づいて受信部の画像信号表示処理を制御するように構成された画像通信方式において、
送信部から入力した画像信号を編集する編集手段と、編集手段が編集したことを送信部へ通知する編集通知手段を受信部が備えたことを特徴とする画像通信方式。
【請求項４】
送信部から入力した画像信号を蓄積する蓄積手段と、蓄積手段で画像信号の蓄積が実行されたことを、送信部へ通知する蓄積通知手段を受信部が備えたことを特徴とする請求項１記載の画像通信方式。
【請求項５】
入力画像信号をディジタル変換し、変換された画像信号を出力する送信装置と、送信装置からの画像信号を入力し、この画像信号を表示すると共に、送信装置以外に転送する受信装置を備え、受信装置では予め各受信装置に設けられたパスワードを出力するパスワード出力手段と、画像信号を表示した旨を送信元へ通知するスクリプト実行通知手段と、画像信号を転送した転送先の受信装置から画像信号を表示した旨の通知を受信すると、画像信号を転送した旨を送信装置へ通知するデータ転送通知手段とを備えた画像通信方式の送信装置において、
予め各受信装置に設けられたパスワードを記録し、受信装置から送られてきたパスワードとあらかじめ記録されたパスワードとの検証を行うパスワード検証手段を備え、この検証手段の検証結果に基づいて受信装置の画像信号表示処理を制御することを特徴とする送信装置。
【請求項６】
入力画像信号をディジタル変換し、変換された画像信号を出力する送信装置と、送信装置からの画像信号を入力し、この画像信号を表示すると共に、送信装置以外に転送する受信装置を備え、送信装置では予め各受信装置に設けられたパスワードを記録し、受信装置から送られてきたパスワードとあらかじめ記録されたパスワードとの検証を行うパスワード検証手段を備え、この検証手段の検証結果に基づいて受信装置の画像信号表示処理を制御するように構成された画像通信方式の受信装置において、
予め各受信装置に設けられたパスワードを出力するパスワード出力手段と、画像信号を表示した旨を送信元へ通知するスクリプト実行通知手段と、画像信号を転送した転送先の受信装置から画像信号を表示した旨の通知を受信すると、画像信号を転送した旨を送信装置へ通知するデータ転送通知手段とを備えたことを特徴とする受信装置。
【発明の詳細な説明】
【０００１】
【発明の属する技術分野】
この発明は、画像データを通信する画像通信方式に関するものである。
【０００２】
【従来の技術】
従来の技術として特開平７−３３３５２２号公報に開示のものがある。特開平７−３３３５２２号公報に示す従来の画像伝送表示装置は、図２７のように被写体を撮像し画像データをディジタル変換して出力する画像入力装置２と、上記画像入力装置２でディジタル化された画像データを広帯域ネットワーク５に出力する場合、画像伝送表示装置は画像入力装置２から出力した画像データを送信先の画像伝送表示装置へ送信を行う。画像伝送表示装置では画像データの送信と受信を行う通信制御手段６を有している。送信先画像伝送表示装置は、前記送信元から送信される画像データを通信制御手段６から受けて格納するための蓄積手段１３と、前記蓄積手段１３に格納された画像データからユーザが選択したい所定の画像データを入力する制御端末３と、制御端末で入力された所定の画像データを蓄積手段１３から選択する画像選択手段２６と、前記画像選択手段２６によって選択された画像データを表示するための表示装置１を持っている。
【０００３】
【発明が解決しようとする課題】
従来の画像通信方式は、画像データが送信先の画像伝送表示装置にいったん送信されてしまうと、送信した画像データの閲覧、編集、転送、およびメディアへの蓄積などが送信先の画像伝送表示装置で自由に出来てしまい送信元のユーザが送信後の画像データの（例えば、不正コピー、著作権侵害などの）管理ができないという問題もあった。係る問題を解決するため、本発明は、送信部から受信部に送られた画像データについて送信部のユーザが管理可能な画像通信方式を提供する。
【０００４】
【課題を解決するための手段】
この発明の請求項１に係わる画像通信方式は、入力画像信号をディジタル変換し、変換された画像信号を出力する送信部と、送信部からの画像信号を入力し、この画像信号を表示する受信部を備えた画像通信方式において、受信部では予め各受信部に設けられたパスワードを出力するパスワード出力手段を備え、送信部では予め各受信部に設けられたパスワードを記録し、受信部から送られてきたパスワードとあらかじめ記録されたパスワードとの検証を行うパスワード検証手段を備え、この検証手段の検証結果に基づいて受信部の画像信号表示処理を制御するものである。
【０００５】
この発明の請求項２に係わる画像通信方式は、受信部が画像信号を送信部以外に転送した場合、受信部は転送した旨を送信部へ通知するデータ転送通知手段を備えるものである。
【０００６】
この発明の請求項３に係わる画像通信方式は、画像信号を送信する場合、送信元の画像伝送表示装置のアドレスを付加する送信元アドレス付加手段を送信部が備え、送信元のアドレスが付加された画像信号を受信した場合、送信元のアドレスを登録管理する送信元アドレス管理手段を受信部が備えるものである。
【０００７】
この発明の請求項４に係わる画像通信方式は、送信部から入力した画像信号を編集する編集手段と、編集したことを送信部へ通知する編集通知手段を受信部が備えるものである。
【０００８】
この発明の請求項５に係わる画像通信方式は、送信部から入力した画像信号を蓄積する蓄積手段と、蓄積手段で画像信号の蓄積が実行されたことを、送信部へ通知する蓄積通知手段を受信部が備えるものである。
【０００９】
【発明の実施の形態】
発明の実施の形態１．
図１は本発明の実施の形態１を示す。図１に基づいて本実施の形態の通信システムの通信シーケンスの概要を説明する。同図において送信元の画像伝送表示装置Ａから送信先の画像伝送表示装置Ｂへ画像データと画像データの再生順序や特殊な表示効果等の再生制御情報であるスクリプトを送信した後、送信先の画像伝送表示装置Ｂの使用者がスクリプト再実行操作をするものとする。送信元の画像伝送表示装置Ａの使用者が送信操作ＩＰ１を行うと、送信元の画像伝送表示装置Ａは画像データとスクリプトを送信先の画像伝送表示装置Ｂに送信する。次に、送信先の画像伝送表示装置Ｂは、画像データとスクリプトを受信するとスクリプト実行処理ＩＰ２を実行し、「スクリプト実行終了通知」を送信元の画像伝送表示装置Ａに送信する。次に、送信元の画像伝送表示装置Ａは「スクリプト実行終了通知」を受信すると通信履歴更新ＩＰ３を行う。次に、送信先の画像伝送表示装置Ｂの使用者がスクリプト再実行操作ＩＰ６を行うと、送信先の画像伝送表示装置Ｂは「パスワード通知」を送信元の画像伝送表示装置Ａに送信する。次に、送信元の画像伝送表示装置Ａは「パスワード通知」を受信するとパスワード検証処理ＩＰ７を実行し、送信先の画像伝送表示装置Ｂに「検証結果通知（許可の通知）」を送信する。次に、送信先の画像伝送表示装置Ｂは「検証結果通知」を受信するとスクリプト再実行処理ＩＰ８を実行し、「スクリプト実行終了通知」を送信元の画像伝送表示装置Ａに送信する。最後に、送信元の画像伝送表示装置Ａは「スクリプト実行終了通知」を受信すると通信履歴更新ＩＰ３を実行するものとする。
【００１０】
上記通信システムにおいて送信元の画像伝送表示装置の構成について説明する。図２は本発明の実施の形態１を示す送信元画像伝送表示装置Ａの構成図である。本図における画像伝送表示装置Ａは、画像入力装置２と、画像入力装置２に接続する入力装置Ｉ／Ｆ手段１１と、スクリプトを作成する制御端末３と、制御端末３に接続するための端末Ｉ／Ｆ手段１２と、上記画像入力装置２で作成された画像データを一時的に保持する画像メモリ９と、端末Ｉ／Ｆ手段１２と接続し、制御端末３で作成されたスクリプトを一時的に保持するスクリプトメモリ１５と、画像データにスクリプトを付加するスクリプト付加手段８と、広帯域ネットワーク５に接続するための通信制御手段６と、広帯域ネットワーク５を介して行われた過去の交信記録を保存する通信履歴管理手段７と、あらかじめ記録されたパスワードとの検証を行うパスワード検証手段１８からなる。
【００１１】
次に、送信元の画像伝送表示装置Ａの動作を図１における送信操作ＩＰ１について説明する。本装置の使用者は画像入力装置２で作成した画像データを入力装置Ｉ／Ｆ手段１１を介して、画像メモリ９に一時蓄積し、制御端末３で作成したスクリプトを端末Ｉ／Ｆ手段１２を介して、スクリプトメモリ１５に一時蓄積し、スクリプト付加手段８でスクリプトメモリ１５に一時蓄積されたスクリプトを画像メモリ１５に一時蓄積された画像データに付加し、通信制御手段６で広帯域ネットワーク５を介してスクリプトが付加された画像データを送信先の画像伝送表示装置Ｂに送信し、通信履歴管理手段７で通信の履歴を「データ送信終了」として作成する。なお、この処理手順を図３にフローチャートで示す。
【００１２】
次に、送信元の画像伝送表示装置Ａの動作を図１における通信履歴更新ＩＰ３について説明する。通信制御手段６が「スクリプト実行終了通知」を広帯域ネットワーク５を介して送信先の画像伝送表示装置Ｂから受信し、通信履歴管理手段７で通信履歴を「スクリプト実行終了」に更新する。この処理手順を図４にフローチャートで示す。また、上記送信元の画像伝送表示装置Ａは「スクリプト実行終了通知」を受信すると、ＬＥＤが点滅するまたは表示装置に表示される構成とする。これによりユーザが目で確認できる。
【００１３】
次に、送信元の画像伝送表示装置Ａの動作を図１におけるパスワード検証装置ＩＰ７を例にとって説明する。通信制御手段６が「パスワード通知」を送信先の画像伝送表示装置Ｂから広帯域ネットワーク５を介して受信し、パスワード検証手段１８は予め各受信部に設けられ（定められた）パスワードと受信したパスワードとの検証処理を行い、パスワードが正しい（予め定められたパスワードと受信パスワードとが一致した）場合「許可」、パスワードが正しくない（予め定められたパスワードと受信パスワードとが一致しない）場合「不許可」として、「検証結果通知」を作成し、「検証結果通知」を広帯域ネットワーク５を介して「検証結果通知」を送信先の画像伝送表示装置へ送信する。この処理手順を図５にフローチャートで示す。なお、送信元の画像伝送表示装置Ａの記憶手段で記憶されたパスワードは通信許可された送信先を示すものであり、通信許可されていない送信先に対するパスワードは記憶手段で記憶されていない。
【００１４】
次に、図１の通信システムにおける送信先の画像伝送表示装置Ｂの構成について説明する。図６は送信先の画像伝送表示装置Ｂの構成を示すブロック図であり、本画像伝送表示装置４は、使用者のパスワードを入力する制御端末３と、制御端末３に接続するための端末Ｉ／Ｆ手段１２と、画像データを一時的に保持する画像メモリ９と、スクリプトを一時的に保持するスクリプトメモリ１５と、スクリプトを順次実行して画像データを表示装置１に表示する表示制御手段１０と、「スクリプト実行終了通知」を作成し、広帯域ネットワーク５を介して送信元の画像伝送表示装置４へ「スクリプト実行終了通知」を送信するスクリプト実行通知手段１４と、「自局に対するパスワード通知」を作成し、広帯域ネットワーク５を介して送信元の画像伝送表示装置４へ「パスワード通知」を送信するパスワード通知手段１７と、広帯域ネットワーク５に接続するための通信制御手段６からなる。
【００１５】
次に送信先の画像伝送表示装置Ｂの動作について図１におけるスクリプト実行処理ＩＰ２を例にとって説明する。通信制御手段６が広帯域ネットワーク５を介して送信元の画像伝送表示装置Ａから画像データともにスクリプトを受信し、画面データを画面メモリ９に、スクリプトをスクリプトメモリ１５に一時蓄積し、表示制御手段１０でスクリプトメモリ１５のスクリプトを読みとり同スクリプトに従い画像メモリ９の画像データを表示装置１へ表示し、スクリプト実行通知手段１４で「スクリプト実行終了通知」を作成し、広帯域ネットワーク５を介して送信元の画像伝送装置４へ「スクリプト実行終了通知」を送信する。なお、この処理手順を図７にフローチャートで示す。
【００１６】
次に、送信先の画像伝送表示装置Ｂの動作を図１におけるスクリプト再実行操作ＩＰ６について説明する。まず、本装置の使用者が制御端末３を操作し、端末Ｉ／Ｆ手段１２を介してパスワードを入力し、パスワード通知手段１７が「パスワード通知」を通信制御手段６により広帯域ネットワーク５を介して送信元の画像伝送表示装置Ａへ送信する。なお、この処理手順を図８にフローチャートで示す。
【００１７】
次に、送信先の画像伝送表示装置Ｂの動作を図１におけるスクリプト再実行処理ＩＰ８を例にとって説明する。通信制御手段６が画像データの送信元の画像伝送表示装置Ａから広帯域ネットワーク５を介して「検証結果通知」を受信し、「検証結果通知」が「許可」のとき表示制御手段１０で画像メモリ９の画像データをスクリプトメモリ１５のスクリプトに従って表示装置１に表示し、スクリプト実行通知手段１４で「スクリプト実行終了通知」を作成し、広帯域ネットワーク５を介して画像データの送信元の画像伝送表示装置Ａへ送信する。受信した「検証結果通知」が「不許可」のとき端末Ｉ／Ｆ手段１２を介して制御端末３に「実行不可能」の表示を出す。なお、この処理手順を図９にフローチャートで示す。
【００１８】
以上の様な画像伝送表示装置を用いることにより、送信元の画像伝送表示装置Ａで送信したスクリプトの再実行等を管理し、送信先の画像伝送表示装置Ｂで不特定多数の使用者が画像データの閲覧を出来なくし画像データのセキュリティ管理を行うことが出来る。
【００１９】
発明の実施の形態２．
図１０は本発明の実施の形態２を示す。図１０に基づいて本実施の形態２の通信システムの通信シーケンスの概要を説明する。同図において送信元の画像伝送表示装置Ａから送信先の画像伝送表示装置Ｂへ画像データとスクリプトを送信した後、送信先の画像伝送表示装置Ｂの使用者がその他の画像伝送表示装置Ｃへ画像データとスクリプトを転送するものとする。同図において送信元の画像伝送表示装置Ａから送信先の画像伝送表示装置Ｂへ画像データとスクリプトを送信し、送信先の画像伝送表示装置Ｂにてスクリプトの実行が終了した後、送信先の画像伝送表示装置Ｂの使用者がデータ転送操作ＩＩＰ９を行うと、送信先の画像伝送表示装置Ｂは「パスワード通知」を送信元の画像伝送表示装置Ａに送信する。次に、送信元の画像伝送表示装置Ａは「パスワード通知」を受信するとパスワード検証処理ＩＩＰ７を実行し、送信先の画像伝送表示装置Ｂに「検証結果通知」を送信する。次に、送信先の画像伝送表示装置Ｂは「検証結果通知」を受信するとデータ転送処理ＩＩＰ１１を実行し、スクリプトおよび画像データをその他の画像伝送表示装置Ｃに送信する。その他の画像伝送表示装置Ｃはスクリプトおよび画像データを受信するとスクリプト実行処理ＩＩＰ２を実行し、「スクリプト実行終了通知」を送信先の画像伝送表示装置Ｂに送信する。送信先の画像伝送表示装置Ｂは「スクリプト実行終了通知」を受信すると通信履歴更新ＩＩＰ３を実行し、「データ転送終了通知」を送信元の画像伝送表示装置Ａに送信する。送信元の画像伝送表示装置Ａは、「データ転送終了通知」を受信すると通信履歴更新ＩＩＰ３を実行する。
【００２０】
上記通信システムにおいて送信先の画像伝送表示装置Ｂの構成について説明する。図１１は本発明の実施の形態２を示す画像伝送表示装置Ｂの構成図である。送信先の画像伝送表示装置Ｂは、発明の形態１の図６の送信先の画像伝送表示装置Ｂに、広帯域ネットワーク５を介して行われた過去の交信記録を保存する通信履歴管理手段７と、画像データおよびスクリプトを他の画像伝送表示装置Ｃに転送したときその転送の終了を画像データの送信元の画像伝送表示装置Ａへ通知するデータ転送終了手段２３を画像データとスクリプトを転送するときに、画像データにスクリプトを付加するスクリプト付加手段８と、したものである。
【００２１】
次に、図１１の送信先の画像伝送表示装置Ｂの動作について図１０におけるデータ転送操作ＩＩＰ９について説明する。本装置の使用者が制御端末３を操作し、端末Ｉ／Ｆ手段１２を介して、パスワード通知手段１７にパスワードを入力し「パスワード通知」として、通信制御手段６で広帯域ネットワーク５を介して画像データを送信元の画像伝送表示装置Ａへ送信する。なお、この処理手順を図１２にフローチャートで示す。
【００２２】
次に、図１１の送信先の画像伝送表示装置Ｂの動作について図１０におけるデータ転送処理ＩＩＰ１１を例にとって説明する。通信制御手段６が画像データの送信元の画像伝送表示装置Ａから広帯域ネットワーク５を介して「検証結果通知」を受信し、「検証結果通知」が「許可」のときスクリプト付加手段８で画像メモリ９に一時蓄積してある画像データにスクリプトメモリ１５に一時蓄積してあるスクリプトを付加し、通信制御手段６により同画像データを広帯域ネットワーク５を介して転送先の画像伝送表示装置Ｃに送信し、通信履歴管理手段７で「データ転送終了」として通信履歴を作成する。受信した「検証結果通知」が「不許可」のとき端末Ｉ／Ｆ手段１２を介して制御端末３に「実行不可能」の表示を出す。なお、この処理手順を図１３にフローチャートで示す。
【００２３】
なお、本実施例において、図１０における送信元の画像伝送表示装置Ａの構成は図２の実施例１の送信元の画像伝送表示装置４と同じであり、動作も同じである。また、図１０におけるその他の画像伝送表示装置Ｃの構成は図６の実施例１の送信先の画像伝送表示装置４と同じであり、動作も同じである。
【００２４】
以上の様な画像伝送表示装置を用いることにより、送信元の画像伝送表示装置Ａで送信したスクリプトと画像データの再転送を管理し、送信先の画像伝送表示装置Ｂで不特定多数の使用者が画像データの転送を出来なくし画像データのセキュリティ管理を行うことが出来る。
【００２５】
発明の実施の形態３．
図１４は本発明における実施の形態３を示す。図１４に基づき本実施の形態３の通信システムの通信シーケンスの概要を説明する。同図において送信元の画像伝送表示装置Ａから送信先の画像伝送表示装置Ｂへ送信した画像データおよびスクリプトをその他の画像伝送表示装置Ｃに転送したのち、さらにその他の画像伝送表示装置Ｄに転送するものとする。送信元の画像伝送表示装置Ａの使用者が送信操作ＩＩＩＰ１を行うと、送信元の画像伝送表示装置Ａは画像データとスクリプトを送信先の画像伝送表示装置Ｂに送信する。次に、送信先の画像伝送表示装置Ｂは、画像データとスクリプトを受信するとスクリプト実行処理ＩＩＩＰ１５を実行し、「スクリプト実行終了通知」を送信元の画像伝送表示装置Ａに送信する。次に、送信元の画像伝送表示装置Ａは「スクリプト実行終了通知」を受信すると通信履歴更新ＩＩＩＰ３を行う。次に、送信先の画像伝送表示装置Ｂの使用者がデータ転送操作ＩＩＩＰ１６を行うと、送信先の画像伝送表示装置Ｂは「パスワード通知」を送信元の画像伝送表示装置Ａに送信する。次に、送信元の画像伝送表示装置Ａは「パスワード通知」を受信するとパスワード検証処理ＩＩＩＰ７を実行し、送信先の画像伝送表示装置Ｂに「検証結果通知」を送信する。次に、送信先の画像伝送表示装置Ｂは「検証結果通知（許可の通知）」を受信するとデータ転送処理ＩＩＩＰ１７を実行し、スクリプトと画像データをその他の画像伝送表示装置Ｃに送信する。次に、その他の画像伝送表示装置Ｃは画像データとスクリプトを受信するとスクリプト実行処理ＩＩＩＰ１５を実行し、「スクリプト実行終了通知」を送信先の画像伝送表示装置Ｂに送信する。次に、送信先の画像伝送表示装置Ｂは「スクリプト実行終了通知」を受信すると通信履歴更新ＩＩＩＰ３を行う。その他の画像伝送表示装置Ｃの使用者がデータ転送操作ＩＩＩＰ１６を行うと、その他の画像伝送表示装置Ｃは「パスワード通知」を送信元の画像伝送表示装置Ａに送信する。次に、送信元の画像伝送表示装置Ａは「パスワード通知」を受信するとパスワード検証処理ＩＩＩＰ７を実行し、その他の画像伝送表示装置Ｃに「検証結果通知（許可）」を送信する。次に、その他の画像伝送装置Ｃは「検証結果通知（許可）」を受信するとデータ転送処理ＩＩＩＰ１７を実行し、スクリプトと画像データをもう一つその他の画像伝送表示装置Ｄに送信する。次に、もう一つのその他の画像伝送表示装置Ｄは画像データとスクリプトを受信するとスクリプト実行処理ＩＩＩＰ１５を実行し、「スクリプト実行終了通知」をその他の画像伝送表示装置Ｃに送信する。次に、画像伝送表示装置Ｃは「スクリプト実行終了通知」を受信すると通信履歴更新ＩＩＩＰ３を行う。
【００２６】
上記通信システムにおける、送信先の画像伝送表示装置Ｂ、その他の画像伝送表示装置ＣおよびＤの構成について説明する。図１５は本発明における送信先およびその他の画像伝送表示装置Ｂ，Ｃ，Ｄの構成図である。本画像伝送表示装置４は、発明の形態２の図１１の送信先の画像伝送表示装置４に、画像データとスクリプトを送信および転送するとき送信元の画像伝送表示装置のアドレスを付加する送信元アドレス付加手段２４と、送信元のアドレス番号が付加された画像データとスクリプトを受信したとき送信元のアドレスを登録管理する送信元アドレス管理手段２５を追加したものである。
【００２７】
次に、図１５の送信先およびその画像伝送表示装置の動作について、図１４におけるスクリプト実行処理ＩＩＩＰ１５について説明する。通信制御手段６が画像データの送信元の画像伝送表示装置から広帯域ネットワーク５を介して画像データとスクリプトともに送信元アドレスを受信し、受信した送信元アドレスを送信元アドレス管理手段２５に登録し、画像データを画像メモリ９にスクリプトをスクリプトメモリ１５に一時蓄積し、表示制御手段１０でスクリプトメモリ１５のスクリプトを読みとり、同スクリプトに従い画像メモリ９の画像データを表示装置１へ表示し、スクリプト実行通知手段１４で「スクリプト実行終了通知」を作成し、「スクリプト実行終了通知」を画像データの送信元の画像伝送表示装置へ広帯域ネットワーク５を介して送信する。なお、この処理手順を図１６にフローチャートで示す。
【００２８】
次に、図１５の送信先およびその他の画像伝送表示装置の動作について、図１４におけるデータ転送操作ＩＩＩＰ１６について説明する。本装置の使用者が制御端末３を操作し、端末Ｉ／Ｆ手段１２を介して、パスワード通知手段１７にパスワードを入力して「パスワード通知」を作成し、送信元アドレス管理手段２５で画像データの送信元の画像伝送表示装置Ａのアドレスを選び出し、「パスワード通知」を画像データの送信元の画像伝送表示装置４へ広帯域ネットワーク５を介して送信する。なお、この処理手順を図１７にフローチャートで示す。
【００２９】
次に、図１５の送信先およびその他の画像伝送表示装置の動作について、図１４におけるデータ転送処理ＩＩＩＰ１７について説明する。通信制御手段６が送信元の画像伝送表示装置から広帯域ネットワーク５を介して「検証結果通知」を受信する。「検証結果通知」が「許可」のとき、スクリプト付加手段８で画像メモリ９に一時蓄積してある画像データにスクリプトメモリ１５に一時蓄積してあるスクリプトを付加し、送信元アドレス管理手段２５で管理されている送信元の画像蓄積装置のアドレスを読み出し、送信元アドレス付加ステップ２４で送信元アドレスをスクリプトの付加された画像データに付加し、転送先のその他の画像伝送表示装置へ広帯域ネットワーク５を介して送信元アドレスとスクリプトおよび画像データを送信し、通信履歴管理手段７で「データ転送終了」として通信履歴を作成する。受信した「検証結果通知」が、「不許可」のとき端末Ｉ／Ｆ手段１２を介して制御端末３に「実行不可能」の表示を出す。なお、この処理手順を図１８にフローチャートで示す。
【００３０】
以上の様な画像伝送表示装置を用いることにより、送信元の画像伝送表示装置Ａで送信したスクリプトの画像データの再転送および転送先からの再転送を管理し、送信先の画像伝送表示装置Ｂ、および転送先の画像伝送表示装置Ｃ，Ｄで不特定多数の使用者が画像データの転送を出来なくし画像データのセキュリティ管理を行うことが出来る。
【００３１】
発明の実施の形態４．
図１９は本発明における実施の形態４を示す。図１９に基づき本実施の形態４の通信システムの通信シーケンスの概要を説明する。同図において送信元の画像伝送表示装置Ａから送信先の画像伝送表示装置Ｂへ画像データおよびスクリプトを送信し、送信先の画像伝送表示装置Ｂの使用者がスクリプト（あるいは画像データ）の編集を行うものとする。同図において送信元の画像伝送表示装置Ａから送信先の画像伝送表示装置Ｂへ画像データとスクリプトを送信し、送信先の画像伝送表示装置Ｂにてスクリプトの実行が終了した後、送信先の画像伝送表示装置Ｂの使用者がスクリプト編集操作ＩＶＰ１９を行うと、送信先の画像伝送表示装置Ｂは「パスワード通知」を送信元の画像伝送表示装置Ａに送信する。次に、送信元の画像伝送表示装置Ａは「パスワード通知」を受信するとパスワード検証処理ＩＶＰ７を実行し、送信先の画像伝送表示装置Ｂに「検証結果通知」を送信する。次に、送信先の画像伝送表示装置Ｂは「検証結果通知（許可）」を受信するとスクリプト編集処理ＩＶＰ２１を実行し、「スクリプト編集終了通知」を送信元の画像伝送表示装置Ａに送信する。最後に、送信元の画像伝送表示装置Ａは「スクリプト編集終了通知」を受信すると、通信履歴更新ＩＶＰ３を実行する。
【００３２】
上記通信システムにおける、送信先の画像伝送表示装置Ｂの構成について説明する。図２０は本発明における送信先の画像伝送表示装置Ｂの構成図である。本画像伝送表示装置４は、発明の実施の形態１の図６の画像伝送表示装置４に、スクリプトメモリ１５に一時蓄積されたスクリプトを編集するスクリプト編集手段１９と、スクリプトを編集したことを送信元の画像伝送表示装置Ａに通知するスクリプト編集終了通知手段２０を追加したものである。
【００３３】
次に、図２０の画像伝送表示装置４の動作について、図１９におけるスクリプト編集操作ＩＶＰ１９について説明する。まず、本装置の使用者が制御端末３を操作し、端末Ｉ／Ｆ手段１２を介して、パスワード通知手段１７にパスワードを入力し、通信制御手段６でパスワードの情報を「パスワード通知」として画像データの送信元の画像伝送表示装置Ａへ広帯域ネットワーク５を介して送信する。なお、この処理手順を図２１にフローチャートで示す。
【００３４】
次に、図２０の画像伝送表示装置４の動作について、図１９におけるスクリプト編集処理ＩＶＰ２１について説明する。まず、通信制御手段６が画像データの送信元の画像伝送表示装置から広帯域ネットワーク５を介して「検証結果通知」を受信し、「検証結果通知」が「許可」のとき、本装置の使用者は制御端末３と端末Ｉ／Ｆ手段１２を介してスクリプト編集手段１９を操作し、スクリプトメモリ１５に蓄積されているスクリプトを編集し、スクリプト編集終了通知手段２０で「スクリプト編集終了通知」を作成し、通信制御手段６で「スクリプト編集終了通知」を広帯域ネットワーク５を介して送信元の画像伝送表示装置４へ送信する。受信した「検証結果通知」が「不許可」のとき、端末Ｉ／Ｆ手段１２を介して制御端末３に「実行不可能」の表示を出す。なお、この処理手順を図２２にフローチャートで示す。
【００３５】
以上の様な画像伝送表示装置を用いることにより、送信元の画像伝送表示装置Ａで送信したスクリプトの編集作業を管理し、送信先の画像伝送表示装置Ｂで不特定多数の使用者がスクリプトを編集することを出来なくし、スクリプトの保護が出来るようになる。また、送信元の画像伝送表示装置Ａから送信先の画像伝送表示装置Ｂのスクリプトが編集されることがわかるので、送信元の画像伝送表示装置Ａから送信先の画像伝送表示装置Ｂにスクリプトの再実行を指示すると、これまでと異なるスクリプトが実行されてしまうことが送信元の画像伝送表示装置Ａからわかる。
【００３６】
発明の実施の形態５．
図２３は本発明における実施の形態５を示す。図２３に基づき本実施の形態の通信システムの通信シーケンスの概要を説明する。同図において送信元の画像伝送表示装置Ａから送信先の画像伝送表示装置Ｂへ画像データおよびスクリプトを送信し、送信先の画像伝送表示装置Ｂにて画像データとスクリプトを蓄積手段に蓄積するものとする。同図において送信元の画像伝送表示装置Ａから送信先の画像伝送表示装置Ｂへ画像データとスクリプトを送信し、送信先の画像伝送表示装置Ｂにてスクリプトの実行が終了した後、送信先の画像伝送表示装置Ｂの使用者がデータ蓄積操作ＶＰ２５を行うと、送信先の画像伝送表示装置Ｂは「パスワード通知」を送信元の画像伝送表示装置Ａに送信する。次に、送信元の画像伝送表示装置Ａは「パスワード通知」を受信するとパスワード検証処理ＶＰ７を実行し、送信先の画像伝送表示装置Ｂに「検証結果通知」を送信する。次に、送信先の画像伝送表示装置Ｂは「検証結果通知」を受信するとデータ蓄積処理ＶＰ２７を実行し、「データ蓄積終了通知」を送信元の画像伝送表示装置Ａに送信する。最後に、送信元の画像伝送表示装置Ａは「データ蓄積終了通知」を受信すると、通信履歴更新ＶＰ３を実行する。
【００３７】
上記通信システムにおける、送信先の画像伝送表示装置Ｂの構成について説明する。図２４は本発明における送信先の画像伝送表示装置Ｂの構成図である。本画像伝送表示装置４は、発明の実施の形態１の図６の画像伝送表示装置４に、スクリプトおよび画像データを大量に蓄積する蓄積手段１３と、スクリプトおよび画像データの蓄積が実行されたことを他の画像伝送表示装置Ａに通知するデータ蓄積終了通知手段２２を追加したものである。
【００３８】
次に、図２４の画像伝送表示装置４の動作について、図２３におけるデータ蓄積操作ＶＰ２５について説明する。まず、本装置の使用者が、制御端末３を操作し、端末Ｉ／Ｆ手段１２を介してパスワード通知手段１７にパスワードを入力し、通信制御手段６でパスワードの情報を「パスワード通知」として画像データの送信元の画像伝送表示装置４へ広帯域ネットワーク５を介して送信する。なお、この処理手順を図２５にフローチャートで示す。
【００３９】
次に、図２０の画像伝送表示装置４の動作について、図２３におけるデータ蓄積処理ＶＰ２７について説明する。通信制御手段６が送信元の画像伝送表示装置から広帯域ネットワーク５を介して「検証結果通知」を受信し、「検証結果通知」が「許可」のとき、画像メモリ９に一時蓄積してある画像データとスクリプトメモリ１５に一時蓄積してあるスクリプトを蓄積手段１３に蓄積し、データ蓄積終了通知手段２２で「データ蓄積終了通知」を作成し、通信制御手段６で「データ蓄積終了通知」を広帯域ネットワーク５を介して画像データの送信元の画像伝送表示装置へ送信する。受信した「検証結果通知」が「不許可」のとき端末Ｉ／Ｆ手段１２を介して制御端末３に「実行不可能」の表示を出す。なお、この処理手順を図２６にフローチャートで示す。
【００４０】
以上の様な画像伝送表示装置を用いることにより、送信元の画像伝送表示装置で送信したスクリプトと画像データのメディアへの蓄積を管理し、転送先の画像伝送表示装置で不特定多数の使用者がメディアへの蓄積することを出来なくし、画像データの著作権の保護が出来るようになる。
【００４１】
【発明の効果】
以上述べたように請求項１から請求項５の発明によれば、送信部から受信部に送られた画像データを、送信部のユーザが管理可能となるので、第三者による不正行為が防止できる。
【図面の簡単な説明】
【図１】実施の形態１の通信シーケンスである。
【図２】実施の形態１の送信元の画像伝送表示装置の構成である。
【図３】実施の形態１の送信操作のフローチャートである。
【図４】実施の形態１の通信履歴更新のフローチャートである。
【図５】実施の形態１のパスワード検証処理のフローチャートである。
【図６】実施の形態１の送信先の画像伝送表示装置の構成である。
【図７】実施の形態１のスクリプト実行処理のフローチャートである。
【図８】実施の形態１のスクリプト再実行操作のフローチャートである。
【図９】実施の形態１のスクリプト再実行処理のフローチャートである。
【図１０】実施の形態２の通信シーケンスである。
【図１１】実施の形態２の送信先の画像伝送表示装置の構成である。
【図１２】実施の形態２のデータ転送操作のフローチャートである。
【図１３】実施の形態２のデータ転送処理のフローチャートである。
【図１４】実施の形態３の通信シーケンスである。
【図１５】実施の形態３の送信先の画像伝送表示装置の構成である。
【図１６】実施の形態３のスクリプト実行処理のフローチャートである。
【図１７】実施の形態３のデータ転送操作のフローチャートである。
【図１８】実施の形態３のデータ転送処理のフローチャートである。
【図１９】実施の形態４の通信シーケンスである。
【図２０】実施の形態４の送信元の画像伝送表示装置の構成である。
【図２１】実施の形態４のスクリプト編集操作のフローチャートである。
【図２２】実施の形態４のスクリプト編集処理のフローチャートである。
【図２３】実施の形態５の通信シーケンスである。
【図２４】実施の形態５の送信先の画像伝送表示装置の構成である。
【図２５】実施の形態５のスクリプト蓄積操作のフローチャートである。
【図２６】実施の形態５のスクリプト蓄積処理のフローチャートである。
【図２７】従来の画像伝送表示装置の構成である。
【符号の説明】
１  表示装置、２  画像入力装置、３  制御端末、４  画像伝送表示装置、５広帯域ネットワーク、６  通信制御手段、７  通信履歴管理手段、８  スクリプト付加手段、９  画像メモリ、１０  表示制御手段、１１  入力装置Ｉ／Ｆ手段、１２  端末Ｉ／Ｆ手段、１３  蓄積手段、１４  スクリプト実行通知手段、１５  スクリプトメモリ、１７  パスワード通知手段、１８  パスワード検証手段、１９  スクリプト編集手段、２０  スクリプト編集終了通知手段、２２  データ蓄積終了通知手段、２３  データ転送終了通知手段、２４  送信元アドレス付加手段、２５  送信元アドレス管理手段、２６  画像選択手段。
【図１】
0003543580.tif 000002
【図２】
0003543580.tif 000003
【図３】
0003543580.tif 000004
【図４】
0003543580.tif 000005
【図５】
0003543580.tif 000006
【図６】
0003543580.tif 000007
【図７】
0003543580.tif 000008
【図８】
0003543580.tif 000009
【図９】
0003543580.tif 000010
【図１０】
0003543580.tif 000011
【図１１】
0003543580.tif 000012
【図１２】
0003543580.tif 000013
【図１３】
0003543580.tif 000014
【図１４】
0003543580.tif 000015
【図１５】
0003543580.tif 000016
【図１６】
0003543580.tif 000017
【図１７】
0003543580.tif 000018
【図１８】
0003543580.tif 000019
【図１９】
0003543580.tif 000020
【図２０】
0003543580.tif 000021
【図２１】
0003543580.tif 000022
【図２２】
0003543580.tif 000023
【図２３】
0003543580.tif 000024
【図２４】
0003543580.tif 000025
【図２５】
0003543580.tif 000026
【図２６】
0003543580.tif 000027
【図２７】
0003543580.tif 000028